(57)【特許請求の範囲】
【請求項１】
左右の側面板と、該両側面板間の後部同士を結合する後面板と、両側面板と後面板の内面下部に、床面と所要寸法離間させて固定された下部棚板と、該下部棚板の前端下部を塞ぐ幅木とを備え、前記下部棚板の下面と床面との間に閉塞空間部が形成された書架において、
前記下部棚板の左右両側部に、下方の空間部と連通する所要大きさの開口部を形成するとともに、該開口部に受片を設け、前記開口部を受片により受支可能な閉塞板を、下部棚板の上面と同一面をなすように取外し可能に嵌合し、かつ前記空間部内における左右の側面板の内側面下部に、床面との固定手段を設けたことを特徴とする書架。
【請求項２】
前記下部棚板の上面に、該下部棚板を左右方向に仕切る複数の仕切板を左右方向に離間させて立設し、左右両側の仕切板の外面、側面板の内側面、及び後面板の前面により区画された下部棚板の左右の後側隅部に、開口部を形成した請求項１に記載の書架。
【請求項３】
空間部内の両側面板の内側面下部に、床面との高さ調節手段を設けた請求項１または２に記載の書架。
【請求項４】
閉塞板と下部棚板の開口部とのいずれか一方に、切欠き部を設けた請求項１ないし３のいずれかに記載の書架。
【発明の詳細な説明】
【０００１】
【発明の属する技術分野】
本発明は、左右の側面板、後面板、下部棚板、及び幅木により囲まれた下方の閉塞空間部内に、床面との固定手段等を備える書架に関する。
【０００２】
【従来の技術】
従来、図書館等において児童用の絵本などを展示したり収納したりする書架０Ｓには、例えば図５に示すように、左右の側面板０１，０１と、この側面板０１間の中央部同士を結合している後面板０２と、両側面板０１と後面板０２の内面下部に固定された棚板０３と、この棚板０３の前端下部を塞ぐようにして両側面板０１，０１に両端が結合された幅木０４とを備えたものがある。
【０００３】
このような書架０Ｓにおいて、地震の発生時等に、それが転倒したり移動したりすることを防止するために、床面１６に固定したいという要求がある。
【０００４】
これを簡単に行うためには、例えば側面板０１の外面下部にＬ字状の固定金具０５を取付け、これをボルト０６により床面に固定することが考えられる。
【０００５】
【発明が解決しようとする課題】
しかしながら、上述のような固定方法では、固定金具５が外部に露出して体裁が悪いだけでなく、児童等が足を引っ掛けて転倒するなどの恐れがある。
【０００６】
そこで、本願の出願人は、棚板０３と床面との間の空間部に着目し、この中に固定手段を設けて、書架を床面に固定することを考えた。
【０００７】
しかし、上記空間部は、各部材により囲まれた閉塞空間部となっているため、固定手段を床面に固定する作業をいかにして行うかが問題となっていた。
【０００８】
本発明は、このような問題点に着目してなされたもので、棚板と床面との間の閉塞空間部内に固定手段等を設け、これを外部より操作して床面に固定し得るようにすることにより、体裁や安全性を向上させることができるようにした書架を提供することを目的とする。
【０００９】
【課題を解決するための手段】
上記課題を解決するために、本発明の書架は、左右の側面板と、該両側面板間の後部同士を結合する後面板と、両側面板と後面板の内面下部に、床面と所要寸法離間させて固定された下部棚板と、該下部棚板の前端下部を塞ぐ幅木とを備え、前記下部棚板の下面と床面との間に閉塞空間部が形成された書架において、
前記下部棚板の左右両側部に、下方の空間部と連通する所要大きさの開口部を形成するとともに、該開口部に受片を設け、前記開口部を受片により受支可能な閉塞板を、下部棚板の上面と同一面をなすように取外し可能に嵌合し、かつ前記空間部内における左右の側面板の内側面下部に、床面との固定手段を設けたことを特徴としている。
この特徴によれば、下部棚板の左右両側部の閉塞板を取り外して開口部を開口することにより、該棚板の下方の閉塞空間部内に設けた固定手段の操作が可能となるため、書架の固定手段を外部に露出させることなく、体裁よくかつ安全に床面へ固定することができ、しかも容易にメンテナンスができる。
【００１０】
本発明の書架は、前記下部棚板の上面に、該下部棚板を左右方向に仕切る複数の仕切板を左右方向に離間させて立設し、左右両側の仕切板の外面、側面板の内側面、及び後面板の前面により区画された下部棚板の左右の後側隅部に、開口部を形成したことが好ましい。
このようにすれば、閉塞板を開口部に嵌合する際、その３辺を仕切板と側面板と後面板とに当接させることにより位置決めし得るので、作業性が向上する。
【００１１】
本発明の書架は、空間部内の両側面板の内側面下部に、床面との高さ調節手段を設けたことが好ましい。
このようにすれば、高さ調節手段も外部に露出させずに、その操作を開口部を通して容易に行うことができる。
【００１２】
本発明の書架は、閉塞板と下部棚板の開口部とのいずれか一方に、切欠き部を設けたことが好ましい。
このようにすれば、切り欠き部に指等を挿入して、閉塞板を簡単に取り外すことができる。
【００１３】
【発明の実施の形態】
以下、本発明の実施例を図面に基づいて説明する。
【００１４】
図１に示される本発明が適用された書架Ｓは、学校や図書館等において児童用書架として利用される書架であり、左右の両側面板１，１と、この側面板１，１間の中央部同士を結合している後面板２と、下端部側が上端部側よりも前方に突出するようにして両側板面１，１に両端が結合された傾斜棚板１５と、傾斜棚１５の下方に、後端が後面板２に当接するようにして両側板面１，１に両端が結合された上部棚板３ａ、下部棚板３ｂと、この下部棚板３ｂの前端下部を塞ぐようにして両側面板１，１に両端が結合された幅木４と、を備えている。
【００１５】
これら後面板２、傾斜棚１５、上部棚板３ａ、下部棚板３ｂ、幅木４は、例えばそれぞれの両側面から外方に向けて突設したダボピン（図示略）等を、両側面板１，１に形成された孔部（図示略）に接着剤等を塗布した状態で嵌合することにより結合されている。
【００１６】
傾斜棚１５、上部棚板３ａ、下部棚板３ｂ、幅木４は、図３に示されるように後面板２を挟んで両側対称にそれぞれ設けられ、書架Ｓの前後側から書籍を収納出来るようになっている。
【００１７】
そして前記下部棚板３ｂの下面と床面１６との間には、左右の両側面板１，１、前後の幅木４，４、下部棚板３ｂにより囲まれた閉塞空間部１３が形成されている（図３参照）。
【００１８】
また、上部棚板３ａ，下部棚板３ｂには、棚板を長手方向に仕切る仕切板１４がそれぞれ３箇所に立設されており、利用者が所望の書籍を効率よく収納し、管理することが出来るようになっている。また、下端部に書籍の下端部を受支し、前方に突出する受部を有する傾斜棚板１５を利用して書籍を展示したり、児童達に紙芝居や本の朗読などを行えるようになっている。
【００１９】
図２〜図４に示されるように、前後の下部棚板３ｂ、３ｂには、左右両側板１，１の内側面と、左右側の両仕切り板１４の外側面と、後面板２の前面と、により区画される左右の後側隅部に、下方の閉塞空間部１３と連通する開口部１２がそれぞれ形成されており、これら開口部１２には閉塞板１０が取外し可能に嵌合されている。
【００２０】
下部棚板３ｂ下面における開口部１２の長寸の端縁には、閉塞板１０を受支するための受片１１が、その一部が開口部１２内部に向けて突出するように接着されており、この受片１１により、開口部１２に嵌合される閉塞板１０が落下不能に、かつ、その上面が下部棚板３ｂの上面と同一面をなすように保持されるようになっている。
【００２１】
また、図４に示されるように閉塞板１０の後面板２側端縁には切欠き部１０ａが形成されており、利用者が切欠き部１０ａ内に指を挿入出来るようになっているため、受片１１に支持されるように開口部１２内に嵌合された閉塞板１０を開口部１２から容易に取り出すことが出来る。
【００２２】
閉塞空間部１３内における左右の両側板１，１の内側面下部には、図２〜図３（ａ）（ｂ）に示されるように、床面１６との固定手段としての略Ｌ字状の固定金具５の一端がビス６により固定されている。固定金具５は、両側板１，１の内側面下部における開口部１２の近傍にそれぞれ設けられており、それぞれの固定金具５の他端部にビス７を挿通して床面１６にねじ込むことにより、側面板１を床面１６に対して固定できるようになっている。これにより書架Ｓの転倒が防止されるため、児童等が怪我を負う恐れがなくなる。
【００２３】
また、両側板１，１の内側面下部における固定金具５の近傍には、床面１６に対する高さ調節用の調節手段としてのアジャスタ８がそれぞれ設けられている。詳しくはこのアジャスタ８は、側板１の内面及び幅木４の内面にビス１７を介して固定された取付け金具８ａと、この取付け金具８ａに形成された上下方向を向くネジ孔に螺入自在なネジ棒９ａを有する設置部材９と、から構成され、設置部材９を軸心周りに正逆回転させて取付け金具８ａに対する設置部材９の位置を調節することにより、床面１６に対する書架Ｓの高さを調節出来るようになっている。
【００２４】
このように構成される書架Ｓを、転倒を防止するために床面１６に対して固定する場合、両側板１の近傍に形成された開口部１２に嵌合された閉塞部材１０を取外せば開口部１２が開口することになるため、書架Ｓを床面１６に設置した状態においても、側板１の内面下部と床面１６とを固定手段としての固定金具５を介して固定する作業を、開口部１２を通して行うことが出来る。よって、固定手段としての固定金具５を外部に露出させることなく、体裁よくかつ安全に床面１６へ固定することができ、しかも容易にメンテナンスができる。
【００２５】
また、閉塞空間部１３内における開口部１２の近傍に高さ調節手段としてのアジャスタ８が設けられているため、開口部１２から手を挿入すれば、設置部材９の回転操作、すなわち高さ調節操作を容易に行うことが出来る。
【００２６】
また、開口部１２が、下部棚板３ｂを左右方向に仕切る複数の仕切板１４の外面、側面板１，１の内側面、及び後面板２の前面により区画された下部棚板３ｂの左右の後側隅部形成されているため、閉塞板１０を開口部１２に嵌合する際、その３辺を仕切板１４と側面板１と後面板２とに当接させることにより位置決めし得るので、作業性が向上する。
【００２７】
さらに、書架Ｓを設置して前述のような方法にて床面１６に固定した後においては、開口部１２に閉塞板１０を嵌合すれば、固定金具５やアジャスタ８が外部に露出しないので、書籍の収納の邪魔になることがないばかりか、設置後において高さ調節等のメンテナンスやレイアウト変更を行うような場合には、閉塞した閉塞板１０を取り外すことにより、開口部１２を通して閉塞空間部１３内の固定金具５の取付け又は取外しや、アジャスタ８の調節操作を行えるため、メンテナンス性にも優れている。
【００２８】
以上、本発明の実施例を図面により説明してきたが、具体的な構成はこれら実施例に限られるものではない。
【００２９】
例えば、本実施例の書架Ｓは、後面板２を挟んで前後側に棚板３ａ、３ｂが設けられており、前後両側に書籍を収納可能に構成されているが、言うまでもなく、いずれか一方側に棚板３が設けられて書籍を収納できるタイプの書架であってもよい。
【００３０】
また、開口部１２の形状や大きさ等は種々に変形可能であり、実施例に記載したものに限定されるものではない。
【００３１】
さらに、閉塞板１０は下部棚板３ｂの開口部１２から完全に取外し可能になっているが、開口部１２を閉塞可能に嵌合されるようになっていれば、閉塞板１０を後面板２の前面や側面板１の内側面に対して蝶番等を介して取付けられていてもよい。
【００３２】
【発明の効果】
本発明は以下の効果を奏する。
【００３３】
（ａ）請求項１項の発明によれば、下部棚板の左右両側部の閉塞板を取り外して開口部を開口することにより、該棚板の下方の閉塞空間部内に設けた固定手段の操作が可能となるため、書架の固定手段を外部に露出させることなく、体裁よくかつ安全に床面へ固定することができ、しかも容易にメンテナンスができる。
【００３４】
（ｂ）請求項２項の発明によれば、閉塞板を開口部に嵌合する際、その３辺を仕切板と側面板と後面板とに当接させることにより位置決めし得るので、作業性が向上する。
【００３５】
（ｃ）請求項３項の発明によれば、高さ調節手段も外部に露出させずに、その操作を開口部を通して容易に行うことができる。
【００３６】
（ｄ）請求項４項の発明によれば、切り欠き部に指等を挿入して、閉塞板を簡単に取り外すことができる。
【図面の簡単な説明】
【図１】本発明を適用した書架の斜視図である。
【図２】書架の部分断面上面図である。
【図３】（ａ）Ａ−Ａ線の断面図である。
（ｂ）Ａ−Ａ線の部分拡大断面図である。
【図４】書架の部分拡大斜視図である。
【図５】従来例である書架の斜視図である。
【符号の説明】
１        側面板
２        後面板
３        棚板
３ａ    上部棚板
３ｂ    下部棚板
４        幅木
５        固定金具（固定手段）
６        ビス
７        ビス
８        アジャスタ
８ａ    取付け金具
９        設置部材
９ａ    ネジ棒
１０      閉塞板
１０ａ  切り欠き部
１１      受片
１２      開口部
１３      閉塞空間部
１４      仕切板
１５      傾斜棚板
１６      床面
１７      ビス
Ｓ        書架
【図１】
0004593828.tif 000002
【図２】
0004593828.tif 000003
【図３】
0004593828.tif 000004
【図４】
0004593828.tif 000005
【図５】
0004593828.tif 000006